(57)【要約】      （修正有）【課題】ブリーフィングシステム、ウェアラブルデバイスおよびブリーフィングの文書表示方法を提供する。【解決手段】ブリーフィングシステム１００は制御ユニット１１０、投影ユニット１２０及びウェアラブルデバイス１３０を含む。投影ユニット１２０は有線或いは無線の方式で制御ユニット１１０に接続され、かつ、ブリーフィングコンテンツを表示する。ウェアラブルデバイス１３０は通信プロトコルに従って制御ユニット１１０と通信を行う。ウェアラブルデバイス１３０は表示ディスプレイ１３２を含む。制御ユニット１１０は通信プロトコルに従って、ブリーフィングコンテンツに対応する文書コンテンツをウェアラブルデバイス１３０に伝送する。ウェアラブルデバイス１３０は受信された文書コンテンツをウェアラブルデバイス１３０の表示ディスプレイ１３２に表示する。【選択図】図１Ｂ
2016042353.tif 000002
【特許請求の範囲】
【請求項１】
制御ユニットと、
有線／無線の方式で前記制御ユニットに接続され、且つブリーフィングコンテンツを表示する投影ユニットと、
表示ディスプレイを備え、通信プロトコルに従って前記制御ユニットと通信を行うウェアラブルデバイスとを含み、
前記制御ユニットは前記通信プロトコルに従って、前記ブリーフィングコンテンツに対応する文書コンテンツを前記ウェアラブルデバイスに伝送し、
前記ウェアラブルデバイスは、受信された前記文書コンテンツを前記表示ディスプレイに表示するブリーフィングシステム。
【請求項２】
前記制御ユニットは、ブリーフィング切り替え信号に基づいて、前記投影ユニットが前記ブリーフィングコンテンツのページを表示して切り替えるように制御し、
前記ウェアラブルデバイスは、文書切り替え信号に基づいて、前記表示ディスプレイに前記文書コンテンツのページを表示して切り替える、請求項1に記載のブリーフィングシステム。
【請求項３】
前記文書切り替え信号は前記文書コンテンツの現在のページを含み、前記ウェアラブルデバイスは前記文書コンテンツの現在のページを受信した後に表示を行い、前記文書コンテンツの現在のページが前記ブリーフィングコンテンツの現在のページに対応する、請求項2に記載のブリーフィングシステム。
【請求項４】
前記文書コンテンツが複数の文書ページを含み、前記文書切り替え信号が前記ブリーフィングコンテンツに対応する特定のページ信号を含み、前記特定のページ信号が前記複数の文書ページの一つに対応し、前記ウェアラブルデバイスは、前記特定のページ信号を受信した後、前記ブリーフィングコンテンツの現在のページに対応する前記文書ページを表示する、請求項2に記載のブリーフィングシステム。
【請求項５】
前記制御ユニットと電気的に接続され、前記制御ユニットに前記ブリーフィング切り替え信号を発信するための遠隔制御装置をさらに含む、請求項1に記載のブリーフィングシステム。
【請求項６】
表示ディスプレイと、
通信プロトコル受信モジュールであって、有線或いは無線の方式で投影ユニットに接続され、且つブリーフィングコンテンツを表示する制御ユニットと通信プロトコルに従って通信を行う通信プロトコル受信モジュールと、
前記表示ディスプレイおよび前記通信プロトコル受信モジュールを連結させて、前記通信プロトコルに従って、前記制御ユニットから前記ブリーフィングコンテンツに対応する文書コンテンツを取得し、且つ前記文書コンテンツを前記表示ディスプレイに表示する処理ユニットとを含むウェアラブルデバイス。
【請求項７】
前記処理ユニットは前記通信プロトコルに従って、前記制御ユニットから文書切り替え信号を受信し、
前記処理ユニットが前記文書切り替え信号を受信した時、前記ウェアラブルデバイスは前記文書切り替え信号に基づいて、前記文書コンテンツのページを切り替える、請求項6に記載のウェアラブルデバイス。
【請求項８】
前記文書切り替え信号は前記文書コンテンツの現在のページを含み、前記ウェアラブルデバイスは前記文書コンテンツの現在のページに基づいて表示を行い、前記文書コンテンツの現在のページが前記ブリーフィングコンテンツの現在のページに対応する、請求項7に記載のウェアラブルデバイス。
【請求項９】
前記文書コンテンツが複数の文書ページを含み、前記文書切り替え信号が前記ブリーフィングコンテンツに対応する特定のページ信号を含み、前記特定のページ信号が前記複数の文書ページの一つに対応し、前記ウェアラブルデバイスは、前記特定のページ信号に基づいて、前記ブリーフィングコンテンツの現在のページに対応する前記文書ページを表示する、請求項7に記載のウェアラブルデバイス。
【請求項１０】
投影ユニットによってブリーフィングコンテンツを表示するステップと、
制御ユニットによって、前記ブリーフィングコンテンツに対応する文書コンテンツを通信プロトコルに従ってウェアラブルデバイスに伝送するステップと、
前記ウェアラブルデバイスによって、受信された前記文書コンテンツを表示するステップとを含むブリーフィングの文書表示方法。
【請求項１１】
前記文書コンテンツを前記通信プロトコルで前記ウェアラブルデバイスに伝送するステップは、
前記制御ユニットによって、前記ブリーフィングコンテンツとリンクする文書伝送プログラムを実行するステップと、
前記ウェアラブルデバイスによって文書受信プログラムを実行するステップと、
前記文書伝送プログラムが前記通信プロトコルに従って、前記文書コンテンツを前記文書受信プログラムでウェアラブルデバイスに伝送するステップとを含む、請求項10に記載の文書表示方法。
【請求項１２】
前記制御ユニットによってブリーフィング切り替え信号を受信するステップと、
前記ブリーフィング切り替え信号に基づいて、前記投影ユニットが前記ブリーフィングコンテンツのページを表示して切り替えるステップと、
前記制御ユニットによって文書切り替え信号を生成するステップと、
前記文書切り替え信号に基づいて、前記ウェアラブルデバイスが前記文書コンテンツのページを表示して切り替えるステップをさらに含む、請求項10に記載の文書表示方法。
【請求項１３】
前記文書切り替え信号が前記文書コンテンツの現在のページを含み、且つ前記文書切り替え信号に基づいて、前記ウェアラブルデバイスが前記文書コンテンツのページを表示して切り替えるステップは、
前記ウェアラブルデバイスによって前記文書コンテンツの現在のページを受信した後、前記ウェアラブルデバイスが表示を行うステップを含み、前記文書コンテンツの現在のページが前記ブリーフィングコンテンツの現在のページに対応する、請求項12に記載の文書表示方法。
【請求項１４】
前記文書コンテンツが複数の文書ページを含み、前記文書切り替え信号が前記ブリーフィングコンテンツに対応する特定のページ信号を含み、前記特定のページ信号が前記複数の文書ページの一つに対応し、且つ、前記文書切り替え信号に基づいて、前記ウェアラブルデバイスが前記文書コンテンツのページを表示して切り替えるステップは、
前記ウェアラブルデバイスによって前記特定のページ信号を受信した後、前記ウェアラブルデバイスが前記ブリーフィングコンテンツの現在のページに対応する前記文書ページを表示するステップを含む、請求項12に記載の文書表示方法。
【請求項１５】
ウェアラブルデバイスに適用されるブリーフィングの文書表示方法であって、
文書受信プログラムを実行し、通信プロトコルに従ってブリーフィングコンテンツに対応する文書コンテンツを受信するステップと、
既に受信された前記文書コンテンツを前記ウェアラブルデバイスの表示ディスプレイに表示するステップとを含み、
前記ブリーフィングコンテンツが文書伝送プログラムとリンクしており、前記文書伝送プログラムが制御ユニットによって実行され、前記ブリーフィングコンテンツが投影ユニットによって表示される、文書表示方法。
【請求項１６】
文書切り替え信号を受信するステップと、
前記文書切り替え信号に基づいて、前記文書コンテンツのページを切り替えるステップをさらに含む、請求項15に記載の文書表示方法。
【請求項１７】
前記文書切り替え信号は前記文書コンテンツの現在のページを含み、
前記文書切り替え信号に基づいて、前記文書コンテンツのページを切り替えるステップは、
前記文書コンテンツの現在のページを受信した後、前記ウェアラブルデバイスによって表示を行うステップを含み、前記文書コンテンツの現在のページが前記ブリーフィングコンテンツの現在のページに対応する、請求項16に記載の文書表示方法。
【請求項１８】
前記文書コンテンツが複数の文書ページを含み、前記文書切り替え信号が現在の前記ブリーフィングコンテンツに対応する特定のページ信号を含み、前記特定のページ信号が前記複数の文書ページの一つに対応し、
前記文書切り替え信号に基づいて、前記文書コンテンツのページを切り替えるステップは、
前記特定のページ信号を受信した後、前記ブリーフィングコンテンツの現在のページに対応する前記文書ページを表示するステップを含む、請求項17に記載の文書表示方法。
【発明の詳細な説明】
【技術分野】
【０００１】
本発明はウェアラブルデバイスの応用技術に関し、特にウェアラブルデバイスのブリーフィングシステムおよびブリーフィングの文書表示方法に関する。
【背景技術】
【０００２】
ブリーフィングは様々な業界にとって軽んずることのできない技法であり、発表者はブリーフィングコンテンツで視聴者へ情報を伝える。ブリーフィングに関する特許は、米国特許公報第8659635号および米国特許公開第20140125558号がある。
【０００３】
この「背景技術」段落の内容は本発明の内容の理解を助けるためのものであり、「背景技術」段落に記載される内容は、当技術分野の常用知識を持っている者が把握していること以外の従来技術も含むことができる。「背景技術」段落に記載される内容について、「背景技術」の内容又は本発明の一個又は複数個の実施例が解決しようとする問題を代表するものは、本発明の出願前に当技術分野の常用知識を持っている者が既に把握又は承知しているものではない。
【先行技術文献】
【特許文献】
【０００４】
【特許文献１】米国特許公報第8659635号
【特許文献２】米国特許公開第20140125558号
【発明の概要】
【発明が解決しようとする課題】
【０００５】
本発明はブリーフィングシステム、ウェアラブルデバイスおよびブリーフィングの文書表示方法を提供する。
【課題を解決するための手段】
【０００６】
本発明は、視聴者にブリーフィングコンテンツしか見えない場合でも、発表者がウェアラブルデバイスを介してブリーフィングコンテンツに対応する文書コンテンツ（例えば、備忘メモまたは注釈）を随時見ることが可能であるため、発表者がブリーフィング過程をスムーズに進めるとともに、ブリーフィング過程の円滑度および効率を上げることができるブリーフィングシステム、ウェアラブルデバイスおよびブリーフィングの文書表示方法を提供する。本発明のその他の目的とメリットについて、本発明が開示する技術特徴から一層理解を深めることができる。
【０００７】
前記の一つまたは一部または全ての目的、或いはその他の目的を達成するために、本発明の一実施例は制御ユニット、投影ユニットおよびウェアラブルデバイスを含むブリーフィングシステムを提供する。投影ユニットは有線或いは無線の方式で制御ユニットに接続され、且つブリーフィングコンテンツを表示するものである。ウェアラブルデバイスは通信プロトコルに従って制御ユニットと通信を行うものである。ウェアラブルデバイスは表示ディスプレイを備えている。制御ユニットは通信プロトコルに従って、ブリーフィングコンテンツに対応する文書コンテンツをウェアラブルデバイスに伝送する。ウェアラブルデバイスは受信した文書コンテンツを表示ディスプレイに表示する。
【０００８】
本発明の一実施例において、前記制御ユニットはブリーフィング切り替え信号に基づいて、投影ユニットがブリーフィングコンテンツのページを表示して切り替えるように制御し、ウェアラブルデバイスは文書切り替え信号に基づいて、表示ディスプレイに文書コンテンツのページを表示して切り替える。
【０００９】
本発明の一実施例において、文書切り替え信号は文書コンテンツの現在のページを含み、ウェアラブルデバイスは文書コンテンツの現在のページを受信した後に表示を行い、文書コンテンツの現在のページがブリーフィングコンテンツの現在のページに対応する。
【００１０】
本発明の一実施例において、文書コンテンツが複数の文書ページを含み、文書切り替え信号がブリーフィングコンテンツに対応する特定のページ信号を含み、特定のページ信号が複数の文書ページの一つに対応し、ウェアラブルデバイスは特定のページ信号を受信した後、ブリーフィングコンテンツの現在のページに対応する文書ページを表示する。
【００１１】
本発明の一実施例において、前記ブリーフィングシステムは遠隔制御装置をさらに含む。遠隔制御装置は制御ユニットと電気的に接続され、且つブリーフィング切り替え信号を制御ユニットに発信するものである。
【００１２】
前記の一つまたは一部または全ての目的、或いはその他の目的を達成するために、本発明の一実施例はウェアラブルデバイスを提供する。このウェアラブルデバイスは表示ディスプレイ、通信プロトコル受信モジュールおよび処理ユニットを含む。通信プロトコル受信モジュールは通信プロトコルに従って制御ユニットと通信を行う。制御ユニットは有線或いは無線の方式で投影ユニットに接続され、ブリーフィングコンテンツを表示する。処理ユニットは表示ディスプレイおよび通信プロトコル受信モジュールを連結させる。処理ユニットは通信プロトコルに従って、制御ユニットからブリーフィングコンテンツに対応する文書コンテンツを取得し、且つ文書コンテンツを表示ディスプレイに表示する。
【００１３】
本発明の一実施例において、前記ウェアラブルデバイスの処理ユニットは通信プロトコルに従って制御ユニットから文書切り替え信号を受信し、また、処理ユニットが文書切り替え信号を受信した時、ウェアラブルデバイスは文書切り替え信号に基づいて文書コンテンツのページを切り替える。
【００１４】
本発明の一実施例において、文書切り替え信号は文書コンテンツの現在のページを含み、ウェアラブルデバイスが文書コンテンツの現在のページに基づいて表示を行い、文書コンテンツの現在のページがブリーフィングコンテンツの現在のページに対応する。
【００１５】
本発明の一実施例において、文書コンテンツが複数の文書ページを含み、文書切り替え信号がブリーフィングコンテンツに対応する特定のページ信号を含み、特定のページ信号が複数の文書ページの一つに対応し、ウェアラブルデバイスは特定のページ信号に基づいて、ブリーフィングコンテンツの現在のページに対応する文書ページを表示する。
【００１６】
前記の一つまたは一部または全ての目的、或いはその他の目的を達成するために、本発明の一実施例はブリーフィングの文書表示方法を提供する。この文書表示方法は、投影ユニットによってブリーフィングコンテンツを表示するステップ、制御ユニットによってブリーフィングコンテンツに対応する文書コンテンツを通信プロトコルに従ってウェアラブルデバイスに伝送するステップ、ウェアラブルデバイスによって既に受信された文書コンテンツを表示するステップを含む。
【００１７】
本発明の一実施例において、前記文書コンテンツを通信プロトコルに従ってウェアラブルデバイスに伝送するステップは以下を含む。制御ユニットによってブリーフィングコンテンツとリンクする文書伝送プログラムを実行するステップ、ウェアラブルデバイスによって文書受信プログラムを実行するステップ、文書伝送プログラムが通信プロトコルに従って、文書コンテンツを文書受信プログラムでウェアラブルデバイスに伝送するステップ。
【００１８】
本発明の一実施例において、前記ブリーフィングの文書表示方法はさらに以下のステップを含む。制御ユニットによってブリーフィング切り替え信号を受信するステップ、ブリーフィング切り替え信号に基づいて、投影ユニットによってブリーフィングコンテンツのページを表示して切り替えるステップ、制御ユニットによって文書切り替え信号を生成するステップ、文書切り替え信号に基づいて、ウェアラブルデバイスによって文書コンテンツのページを表示して切り替えるステップ。
【００１９】
本発明の一実施例において、前記文書切り替え信号が文書コンテンツの現在のページを含み、且つ、文書切り替え信号に基づいて、ウェアラブルデバイスによって文書コンテンツのページを表示して切り替えるステップは、ウェアラブルデバイスによって文書コンテンツの現在のページを受信した後、ウェアラブルデバイスで表示を行うステップを含み、文書コンテンツの現在のページがブリーフィングコンテンツの現在のページに対応する。
【００２０】
本発明の一実施例において、前記文書コンテンツが複数の文書ページを含み、文書切り替え信号がブリーフィングコンテンツに対応する特定のページ信号を含み、特定のページ信号が複数の文書ページの一つに対応し、且つ、文書切り替え信号に基づいて、ウェアラブルデバイスによって文書コンテンツのページを表示して切り替えるステップは、ウェアラブルデバイスによって特定のページ信号を受信した後、ウェアラブルデバイスがブリーフィングコンテンツの現在のページに対応する文書ページを表示するステップを含む。
【００２１】
前記一つまたは一部または全ての目的、或いはその他の目的を達成するために、本発明の一実施例はウェアラブルデバイスに適用されるブリーフィングの文書表示方法を提供する。この文書表示方法は、文書受信プログラムを実行し、通信プロトコルに従ってブリーフィングコンテンツに対応する文書コンテンツを受信するステップと、既に受信された文書コンテンツをウェアラブルデバイスの表示ディスプレイに表示するステップを含み、ブリーフィングコンテンツが文書伝送プログラムとリンクしており、文書伝送プログラムが制御ユニットによって実行され、ブリーフィングコンテンツが投影ユニットによって表示される。
【００２２】
本発明の一実施例において、前記ブリーフィングの文書表示方法は、文書切り替え信号を受信するステップ、文書切り替え信号に基づいて文書コンテンツのページを切り替えるステップをさらに含む。
【００２３】
本発明の一実施例において、前記文書切り替え信号は文書コンテンツの現在のページを含み、且つ、文書切り替え信号に基づいて、文書コンテンツのページを切り替えるステップは、文書コンテンツの現在のページを受信した後、ウェアラブルデバイスによって表示を行うステップを含み、文書コンテンツの現在のページがブリーフィングコンテンツの現在のページに対応する。
【００２４】
本発明の一実施例において、前記文書コンテンツが複数の文書ページを含み、文書切り替え信号がブリーフィングコンテンツに対応する特定のページ信号を含み、特定のページ信号が複数の文書ページの一つに対応し、且つ、文書切り替え信号に基づいて、文書コンテンツのページを切り替えるステップは、特定のページ信号を受信した後、ブリーフィングコンテンツの現在のページに対応する文書ページを表示するステップを含む。
【００２５】
以上により、本発明の実施例のブリーフィングシステムにおいて、投影ユニットは有線或いは無線の方式で制御ユニットに接続され、且つ制御ユニットによって伝送されたブリーフィングコンテンツを表示し、ウェアラブルデバイスは通信プロトコルに従って制御ユニットと通信を行い、ブリーフィングコンテンツに対応する文書コンテンツを表示する。本発明の実施例において、ブリーフィングシステムは、制御ユニット（例えば、ノート型コンピュータ、スマートフォン、タブレットコンピュータ）の中の文書伝送プログラムおよびウェアラブルデバイス中の文書受信プログラムによって、ブリーフィングコンテンツに対応する文書コンテンツ（例えば、備忘メモ）をウェアラブルデバイスに伝送することができる。ブリーフィングシステムはさらに、ブリーフィング切り替え信号に基づいて、視聴者が投影ユニットで見ているブリーフィングコンテンツとユーザーがウェアラブルデバイスで見ている備忘メモを対応させることができる。これにより、視聴者にブリーフィングコンテンツしか見えない場合でも、ユーザーはウェアラブルデバイスで備忘メモを随時見ることができるため、ブリーフィング過程をスムーズに進めて、且つ、ブリーフィングの円滑度および効率を上げることができる。
【００２６】
本発明の上記特徴とメリットをより明確にするため、以下は実施例を挙げて、且つ図面を合わせて詳しく説明する。
【図面の簡単な説明】
【００２７】
【図１Ａ】本発明の実施例に係るブリーフィングシステムを説明する概略図である。
【図１Ｂ】本発明の実施例に係る別のブリーフィングシステムを説明する概略図である。
【図１Ｃ】本発明の実施例のさらに別のブリーフィングシステムの概略図である。
【図２】本発明の実施例に適したウェアラブルデバイスの表示ディスプレイを説明する概略図である。
【図３Ａ】本発明の実施例に係るブリーフィングの文書表示方法を説明するフローチャートである。
【図３Ｂ】本発明の実施例に係る別のブリーフィングの文書表示方法を説明するフローチャートである。
【図３Ｃ】本発明の実施例に係るさらに別のブリーフィングの文書表示方法を説明するフローチャートである。
【図４】本発明の実施例に係る図1が示す制御ユニットおよびウェアラブルデバイスが行うブリーフィングの文書表示方法を説明するフローチャートである。
【発明を実施するための形態】
【００２８】
図1Aは本発明の実施例に係るブリーフィングシステム10を説明する概略図である。本実施例のブリーフィングシステム10は制御ユニット11、投影ユニット12およびウェアラブルデバイス13を含む。ウェアラブルデバイス13は表示ディスプレイ132を有する。本実施例において、投影ユニット12は有線或いは無線の方式で制御ユニット11に接続され、且つブリーフィングコンテンツ122Bを表示する。ウェアラブルデバイス13は通信プロトコル150に従って、制御ユニット11と通信を行う。制御ユニット11はブリーフィングプレゼンプログラム（例えば、Microsoft社のPowerPoint（登録商標）、又はApple社のKeynote（登録商標）などのプレゼンテーションプログラム）を起動して、ブリーフィングコンテンツ122Bを受信し、且つブリーフィングコンテンツ122Bに対応する文書コンテンツ132N（例えば、備忘メモ）を検索して、通信プロトコル150に従って文書コンテンツ132Nをウェアラブルデバイス13に伝送し、ウェアラブルデバイス13が受信した文書コンテンツ132Nを表示ディスプレイ132に表示させる。同時に、制御ユニット11は有線或いは無線の方式でブリーフィングコンテンツ122Bを投影ユニット12に伝送して、投影ユニット12が投影面に表示するブリーフィングコンテンツ122Bをウェアラブルデバイス13がディスプレイ132に表示する文書コンテンツ132Nと対応させる。
【００２９】
さらに、図1Bは本発明の実施例に係るブリーフィングシステム100を説明する概略図である。本実施例のブリーフィングシステム100は主に制御ユニット110、投影ユニット120およびウェアラブルデバイス130を含み、ウェアラブルデバイス130は表示ディスプレイ132を有する。本発明の実施例の制御ユニット110は、通信プロトコル150に従って、ユーザー105の頭に装着されたウェアラブルデバイス130とやり取りを行い、且つ文書コンテンツを提供することで、ウェアラブルデバイス130の表示ディスプレイ132が現在のブリーフィングコンテンツ122Bと対応する備忘メモを表示できるようにする。これにより、視聴者には投影ユニット120により投影面122上に現れたブリーフィングコンテンツ122Bしか見えない場合でも、ユーザー105は自然に且つ工夫要らずに備忘メモを随時見ることができるため、ユーザー105の準備時間不足や緊張などの状況に対処し、ブリーフィングの円滑度や効率を上げることができる。
【００３０】
本実施例において、制御ユニット110は卓上型コンピュータ、パーソナルコンピュータ、ノート型コンピュータ、タブレットコンピュータ、携帯電話などの電子装置であってもよいが、本発明は制御ユニットと投影ユニットが互いに異なる電子装置個体である場合に限定されない。
【００３１】
図1Cは本発明の別の実施例のブリーフィングシステム10の概略図であり、同一の電子装置で制御ユニット11および投影ユニット12の操作を同時に行うことができる様態も本発明の実施例の範囲に含まれることを説明する。本実施例の投影装置121は市販の投影機であってもよいが、表示ディスプレイを有する表示装置（例えば、LCD  Display）であってもよい。投影ユニット12と制御ユニット11が投影装置121の中に設置された、例えば、コンピュータシステムを備えた投影機、或いは投影レンズを備えたコンピュータシステム（例えば、ノート型コンピュータ、パーソナルコンピュータ、タブレットコンピュータ、携帯電話など）であってもよい。例として、現在市販の投影機はUSBメモリ（図示せず）と接続することが可能であるため、投影装置121内の制御ユニット11は内蔵のブリーフィングプレゼンプログラムを起動して、USBメモリからのブリーフィングコンテンツ122Bを受信することが可能であり、且つブリーフィングコンテンツに対応する文書コンテンツ132N（例えば、備忘メモ）を検索し、通信プロトコル150に従って文書コンテンツ132Nをウェアラブルデバイス13に伝送し、ウェアラブルデバイス13が受信した文書コンテンツ132Nを表示ディスプレイ132に表示させる。同時に、制御ユニット11は有線或いは無線の方式でブリーフィングコンテンツ122Bを投影ユニット12に伝送することで、投影ユニット12が投影面に表示するブリーフィングコンテンツ122Bとウェアラブルデバイス13が表示ディスプレイ132に表示する文書コンテンツ132Nとを対応させる。
【００３２】
以下、本発明の実施例のブリーフィングシステム100の各部の詳細内容を説明する。本実施例を応用する者は以下の本発明の実施例の詳細内容に基づき、適宜に追加や改良を行うことが可能であり、以下に開示した内容に限定されない。
【００３３】
再度図1Bを参照すると、本実施例において、制御ユニット110は処理モジュール112、記憶モジュール114、通信プロトコル伝送モジュール116および遠隔制御信号受信モジュール118を含む。処理モジュール112は例えば中央処理ユニット（central  processing  unit、  CPU）、マイクロプロセッサ（micro  processor）、コントローラ（controller）、マイクロコントローラ（micro-controller  unit）、デジタルシグナルプロセッサ（digital  signal  processor、  DSP）、プログラマブルコントローラ（programmable   controller）、特定用途向け集積回路（application  specific  integrated  circuits、  ASIC）、プログラマブルロジックデバイス（programmable  logic  device、  PLD）、処理ソフトウェアまたは制御ソフトウェアであってもよいが、本発明は上記のハードウェアやソフトウェアに限定されない。また、本実施例の記憶モジュール114は、例えば、ハードディスク、ランダムアクセスメモリ、仮想メモリなどであってもよい。通信プロトコル伝送モジュール116は特定の通信プロトコル150に従って、ウェアラブルデバイス130の通信プロトコル受信モジュール134と通信を行うことができる。遠隔制御信号受信モジュール118は（例えば、赤外線受信機）、ユーザー105が制御する遠隔制御装置160（例えば、マウス機能を有する遠隔コントローラであって、且つ赤外線送信機を有するもの）が送信した制御信号を受信する。
【００３４】
以上により、ユーザー105は、プレゼンしようとするブリーフィングコンテンツ122Bおよびブリーフィングコンテンツ122Bに対応する文書コンテンツ132N（例えば、備忘メモ）を記憶モジュール114に記憶することができる。ブリーフィングコンテンツ122Bは、文字または図形や文字を組み合わせた表示メッセージ、マルチメディア映像や対話型インタフェースから構成されたものであってもよいが、本発明はこれらに限定されない。本実施例において、ブリーフィングコンテンツ122Bは複数のブリーフィングページを含む。本実施例では拡張子が“.ppt”または“.pdf”であるファイルをブリーフィングコンテンツ122Bとするが、本発明はこれに限定されない。詳しく言うと、ユーザー105がブリーフィングコンテンツ122Bをプレゼンする時に、文書コンテンツ132Nは主にユーザー105にヒントを与えるための文字情報または関連するマルチ情報である。文書コンテンツ132Nは文字メモをメインとする文字情報であってもよいが、本発明はこれに限定されない。本実施例において、文書コンテンツ132Nは現在表示されている現在のブリーフィングページに対応する現在の文書ページのみを含んでもよい。その他の実施例において、文書コンテンツはブリーフィングページ中の複数のブリーフィングページに対応する複数の文書ページを含んでもよい。
【００３５】
一方、記憶モジュール114は文書伝送プログラムに対応するコードまたはプログラムコードを記憶する。処理モジュール112は文書伝送プログラムのコードまたはインストールファイルを用いて文書伝送プログラムをインストールして実行する。文書伝送プログラムを実行した後に、ブリーフィングコンテンツ122Bとリンクすることができる。詳しく言うと、文書伝送プログラムを起動した後、ブリーフィングプレゼンプログラムとリンクして、且つブリーフィングコンテンツ122Bを検索し、その後ブリーフィングコンテンツ122Bに対応する文書コンテンツ132Nを取得する。
【００３６】
投影ユニット120は有線或いは無線の接続方式で、制御ユニット110からのブリーフィングコンテンツ122Bを受信して、ブリーフィングコンテンツ122Bを投影面122に表示する。
【００３７】
また、本実施例のウェアラブルデバイス130は主に表示ディスプレイ132、通信プロトコル受信モジュール134、処理ユニット136およびメモリ138を含む。ウェアラブルデバイス130はメガネ型の電子装置を実施方式としており、メガネ型のウェアラブルデバイス130をユーザー105の目に近い位置に設置することができる。一部の実施例において、ウェアラブルデバイス130は、腕時計型の電子装置またはコンタクトレンズ上に表示ディスプレイ132を備え、表示ディスプレイ132を用いてユーザー105にメッセージを表示するものであってもよい。本実施例において、表示ディスプレイ132はウェアラブルデバイス130の上に架設された、ユーザー105の目に映像を投射するためのマイクロプロジェクターまたは奥行変化のある表示ディスプレイであってもよい。
【００３８】
図2は本発明の実施例の表示ディスプレイ132を備えたウェアラブルデバイス130の概略図であり、図2の右側には、例えば、表示ディスプレイ132上に現れた文書コンテンツ132Nを示している。一部の実施例では、表示ディスプレイ132上の特定領域210において、この文書コンテンツ132Nに対応するブリーフィングコンテンツ122Bを同時に表示することができるため、ユーザー105は投影ユニット120が現在表示しているブリーフィングコンテンツ122Bを確認するため振り返る必要がなくなる。
【００３９】
図1Bを再度参照すると、ウェアラブルデバイス130の通信プロトコル受信モジュール134は特定の通信プロトコル150に従って、制御ユニット110の通信プロトコル伝送モジュール116と通信を行うことができる。本実施例において、通信プロトコル150はBlue  Tooth（登録商標）通信プロトコル、Wi-Fi通信プロトコル、ZigBee、ANTおよび赤外線など無線通信プロトコルであってもよい。なお、通信プロトコル伝送モジュール116と通信プロトコル受信モジュール134は、通信プロトコル150の通信技術分野に対応して用いられるハードウェアであり、例えば、Blue  Tooth（登録商標）信号発信器とBlue  Tooth（登録商標）信号受信器、Wi-Fi発信器と受信器、或いは赤外線発信器／受信機などである。処理ユニット136は表示ディスプレイ132および通信プロトコル受信モジュール134を連結させ、且つ文書受信プログラムのコードまたはインストールファイルを用いて文書受信プログラムをインストールして実行することができる。文書受信プログラムを実行した後、通信プロトコル150に従って制御ユニット110から文書コンテンツ132Nを受信し、文書コンテンツ132Nを表示ディスプレイ132に表示する。また、ウェアラブルデバイス130の使い易さや操作上の誤動作を防止するために、ウェアラブルデバイス130に複数のモード、例えば、文書コンテンツ（備忘メモ）アップロードモード、文書コンテンツ（備忘メモ）表示モードなどを設定してもよい。また、ウェアラブルデバイス130はさらにプッシュボタン、表示パネル、或いはタッチ制御、音声制御、ジェスチャ制御などの機能を備えたユーザインタフェースを含むことで、モード切り替えやその他の操作を行うことが可能である。
【００４０】
本実施例において、メモリ138は文書受信プログラムのコード或いは制御ユニット110から伝送された文書コンテンツ132Nを記憶または一時記憶する。なお、メモリ138はハードディスク、ランダムアクセスメモリ、仮想メモリなどであってもよい。本実施例において、処理ユニット136は中央処理ユニット（central  processing  unit、  CPU）、マイクロプロセッサ（micro  processor）、コントローラ（controller）、マイクロコントローラユニット（micro-controller  unit）、デジタルシグナルプロセッサ（digital  signal  processor、  DSP）、プログラマブルコントローラ（programmable  controller）、特定用途向け集積回路（application  specific  integrated  circuits、  ASIC）、プログラマブルロジックデバイス（programmable  logic  device、  PLD）、処理ソフトウェアまたは制御ソフトウェアであってもよい。しかし、上記のハードウェアまたはソフトウェアは例示であり、本発明を限定するものではない。
【００４１】
本実施例において、ブリーフィングシステム100はさらに遠隔制御装置160を含む。遠隔制御装置160（例えば、赤外線送信器とマウス機能を有する遠隔コントローラである）により制御ユニット110中の遠隔制御信号受信モジュール118（例えば、赤外線受信器）へ制御信号を送ることで、ユーザー105は遠隔制御装置160を介して制御ユニット110へブリーフィングのページめくりの要否や関連制御情報を伝える。詳しく言うと、遠隔制御装置160がブリーフィング切り替え信号162を発信すると遠隔制御信号受信モジュール118がこれを受信して、制御ユニット110はこのブリーフィング切り替え信号162に基づいて投影ユニット120を制御し、ブリーフィングコンテンツ122B中の複数のブリーフィングページを表示また切り替えて、且つ、制御ユニット110は通信プロトコル150に従って、ブリーフィング切り替え信号162に対応する文書切り替え信号をウェアラブルデバイス130に送信することが可能である。これにより、ウェアラブルデバイス130は文書切り替え信号に基づいて文書コンテンツ132Nのページを表示して切り替えることができる。
【００４２】
別の実施例において、ウェアラブルデバイス130は上記遠隔制御装置160の功能を備えてもよい。こうすることで、ユーザー105は、遠隔制御装置160がなくても、ウェアラブルデバイス130を介して制御ユニット110へブリーフィング切り替え信号を発信し、ブリーフィングコンテンツ122Bおよびブリーフィングコンテンツに対応する文書コンテンツ132Nのページを切り替えることができる。しかし、その他の実施例において、ブリーフィング切り替え信号は遠隔制御装置160またはウェアラブルデバイス130によって発信されるほか、ユーザー105やアシスタントが制御ユニット110を直接操作して、制御ユニット110にブリーフィング切り替え信号を発信させてもよい。例えば、制御ユニット110上の入力装置によってブリーフィング切り替え信号を発信させることができる。詳しく言うと、ユーザー105またはアシスタントは、ノート型コンピュータ（制御ユニット110）のタッチパネル、キーボードまたはマウスを介して制御ユニット110へブリーフィング切り替え信号を発信することで、制御ユニット110により投影ユニット120を介してブリーフィングコンテンツ122Bを切り替え、且つ、制御ユニット110によりウェアラブルデバイス130を介してディスプレイ132上に表示する文書コンテンツ（備忘メモ）132Nを切り替える。
【００４３】
図3Aは本発明の実施例係るブリーフィングの文書表示方法を説明するフローチャートである。図1Aと図3Aを同時に参照すると、上記ブリーフィングシステム10中の制御ユニット11、投影ユニット12とウェアラブルデバイス13の動作に基づき、本実施例中のブリーフィングの文書表示方法を以下のステップにまとめることができる。まず、ステップS301では、投影ユニット12によって、ブリーフィングコンテンツ122Bを表示し、続いて、ステップS303では、制御ユニット11によって、ブリーフィングコンテンツ122Bに対応する文書コンテンツ132Nを通信プロトコル150に従ってウェアラブルデバイス13に伝送し、その後、ステップS305では、ウェアラブルデバイス13によって、既に受信された文書コンテンツ132Nを表示する。ブリーフィングシステム10中の各デバイスやモジュルの動作そのほとんどを上記実施例で説明したため、ここで省略する。
【００４４】
図3Bは本発明の実施例に係る別のブリーフィングの文書表示方法を説明するフローチャートである。図1Aと図3Bを同時に参照すると、上記ウェアラブルデバイス13において、本実施例中のブリーフィングの文書表示方法を以下のステップにまとめることができる。まず、ステップS307では、文書受信プログラムを実行し、通信プロトコル150に従ってブリーフィングコンテンツ122Bに対応する文書コンテンツ132Nを受信し、ブリーフィングコンテンツ122Bは文書伝送プログラムとリンクしており、文書伝送プログラムが制御ユニット11により実行され、ブリーフィングコンテンツ122Bが投影ユニット12により表示され、その後、ステップS309では、既に受信された文書コンテンツ132Nをウェアラブルデバイス13の表示ディスプレイ132に表示する。ウェアラブルデバイス13を利用して文書コンテンツ132Nを表示することについてほとんど上記実施例で説明しているため、ここで省略する。
【００４５】
図3Cは本発明の実施例に係るさらに別のブリーフィングの文書表示方法を説明するフローチャートである。実施例の詳細を明確に説明するため、図1Bの概略図および図3Cのフローチャートに基づいて本発明の実施例の上記ブリーフィングシステムおよびブリーフィングの文書表示方法を詳しく説明する。図1Bおよび図3Cを同時参照すると、本実施例のステップS310の前に、制御ユニット110は既に文書伝送プログラムをインストールして実行しており、且つ、ウェアラブルデバイス130は既に文書受信プログラムをインストールして実行している。こうなると、文書伝送プログラムはブリーフィングコンテンツ122Bとリンクすることが可能であり、或いはブリーフィングコンテンツ122Bをウェアラブルデバイス130の文書受信プログラムに取り込むことも可能である。ステップS310では、制御ユニット110中の文書伝送プログラムにより、投影ユニット120を介して投影面122上にブリーフィングコンテンツ122Bを表示することで、視聴者はブリーフィングコンテンツ122Bを視聴できる。これと同時に、ステップS320では、制御ユニット110の文書伝送プログラムにより、通信プロトコル150に従ってブリーフィングコンテンツ122Bに対応する文書コンテンツ132Nをウェアラブルデバイス130中の文書受信プログラムを介してウェアラブルデバイス130のメモリ138に伝送して記憶する。ステップS330において、ウェアラブルデバイス130中の文書受信プログラムにより、受信された文書コンテンツ132Nをウェアラブルデバイス130の表示スプレイ132に表示し、ユーザー105のプレゼンテーションの参考とする。
【００４６】
以上に続き、ステップS340において、制御ユニット110はブリーフィング切り替え信号を受信する。なお、本実施例のブリーフィング切り替え信号は、制御ユニット110に接続されたユーザインタフェース、遠隔制御装置160またはウェアラブルデバイス130によって発信可能である。制御ユニット110がブリーフィング切り替え信号を受信した後、ステップS350へ進み、制御ユニット110はこのブリーフィング切り替え信号に基づいて投影ユニット120にブリーフィングコンテンツ122Bのページを表示また切り替えさせて、且つ、ブリーフィング切り替え信号に基づいてブリーフィング切り替え信号に対応する文書切り替え信号を生成する。それとともに、制御ユニット110は通信プロトコル150に従って文書切り替え信号をウェアラブルデバイス130に伝送する。ステップS360において、ウェアラブルデバイス130は文書切り替え信号を受信した後、この文書切り替え信号に基づいて文書コンテンツ132Nのページを表示また切り替える。
【００４７】
なお、上記ステップS340〜350を多様な方式で実現することが可能である。そのうちの一つの実現方式として、ウェアラブルデバイス130が受信した文書コンテンツは現在のブリーフィングページに対応する現在の文書ページのみを含み、その他のページの文書コンテンツを含まない方式がある。この場合、制御ユニット110の文書伝送プログラムは、ブリーフィング切り替え信号を受信した後、投影ユニット120が表示しようとするブリーフィングページの次のページに対応する文書ページの次のページを文書切り替え信号に含ませて、且つこの文書ページの次のページの文書切り替え信号を通信プロトコル150に従ってウェアラブルデバイス130に伝送する。これにより、ウェアラブルデバイス130は文書切り替え信号（文書ページの次のページを含む）に基づいて、文書ページの次のページを表示ディスプレイ132に表示することができる。こうすることで、文書切り替え信号が文書ページの次のページを含むため、ウェアラブルデバイス130は次のページを含む文書切り替え信号を受信する度に同期的に表示を行うことにより、文書コンテンツの次のページと次のページのブリーフィングコンテンツとを対応させるとともに、メモリ138の空間を節約し、メモリ空間不足に陥ることを回避できる。
【００４８】
以上に続き、別の実現方法では、ウェアラブルデバイス130が受信した文書コンテンツは既にブリーフィングページそれぞれに対応する全ての文書ページを含んでいる。この場合、制御ユニット110の文書伝送プログラムは、ブリーフィング切り替え信号を受信した後、ブリーフィングコンテンツ中のブリーフィングページの次のページを代表する特定のページ信号（言い換えれば、次に表示しようとするブリーフィングページに対応するページ番号またはページコード）のみを文書切り替え信号中に含ませ、且つこの文書切り替え信号を通信プロトコル150に従ってウェアラブルデバイス130へ伝送する。ウェアラブルデバイス130は既にすべての文書ページを有するため、ウェアラブルデバイス130は文書切り替え信号中の特定のページ信号（ページ番号又はページコード）に対応する文書ページを表示し、即ち、投影ユニット120に現在表示されているブリーフィングページとウェアラブルデバイス130中に表示されている文書ページを対応させる（つまり、文書コンテンツの現在のページを現在のブリーフィングコンテンツに対応させる）。こうすることで、制御ユニット110の文書伝送プログラムはブリーフィングページのページ数変更に従って、通信プロトコル150と特定のページ信号を有する文書切り替え信号を用いて、対応する備忘メモ内容を変更するようウェアラブルデバイス130の表示ディスプレイ132に通知することにより、ウェアラブルデバイス130が表示する現在の文書ページと現在のブリーフィングページとを対応させる。
【００４９】
図4は本発明の実施例に係る図1の制御ユニット11およびウェアラブルデバイス13が行うブリーフィングの文書表示方法を説明するフローチャートである。図4の右部分は制御ユニット11が行う方法の流れであり、図4の左部分はウェアラブルデバイス13が行う方法の流れである。図1および図4の右部分を同時に参照すると、ステップS401において、制御ユニット11は文書伝送プログラムの起動および初期化を行う。その後、ステップS403において、文書伝送プログラムがスライドプレゼンプログラムとリンクして、文書伝送プログラムをブリーフィングコンテンツ122Bとリンクさせる。ステップS405において、文書伝送プログラムはブリーフィングコンテンツ122B中の複数のブリーフィングページ（例えば、スライド）のページ数を検索し、および対応する文書コンテンツ（備忘メモ）132Nを取得する。その後、ステップS407において、文書伝送プログラムは遠隔制御装置、ウェアラブルデバイスから、或いは制御ユニットに接続する入力装置からのブリーフィング切り替え信号を受信する。文書伝送プログラムがブリーフィング切り替え信号を受信しなかった場合、ブリーフィング切り替え信号を受信したか否か、ステップS407において各信号の出処（例えば、図2の遠隔制御信号受信モジュール、通信プロトコル150および制御ユニット11の入力装置）を監視し続ける。
【００５０】
以上に続き、文書伝送プログラムがステップS407でブリーフィング切り替え信号を受信した後、ステップS409およびステップS411を同時に行うことができる。ステップS409において、文書伝送プログラムがブリーフィング切り替え信号を投影ユニット12に伝送して、投影ユニット12にブリーフィングコンテンツ中の複数のブリーフィングページを表示また切り替えさせる。ステップS411において、文書伝送プログラムは通信プロトコル150に従って文書切り替え信号をウェアラブルデバイス13まで伝送し、文書切り替え信号が現在表示されているブリーフィングコンテンツおよび対応する文書コンテンツを含むことが可能で、または文書コンテンツ中の複数の文書ページを含むことも可能であり、複数の文書ページがそれぞれ複数のブリーフィングページに対応する。ステップS409およびステップS411を行った後、文書伝送プログラムはステップS407に戻り、ブリーフィング切り替え信号を受信したか否かを引き続き監視する。また、文書伝送プログラムを終了する命令を受信した後、ステップS413へ進み、制御ユニット11によって文書伝送プログラムを終了する。また、文書伝送プログラムがこれまで占めていたメモリ領域を解放する。
【００５１】
図1および図4の左部分を同時に参照すると、ステップS420において、ウェアラブルデバイス13が文書受信プログラムの起動および初期化を行う。ステップS422において、文書受信プログラムは通信プロトコル150に従って制御ユニット11により発信された文書切り替え信号を受信する。文書受信プログラムが文書切り替え信号を受信しなかった場合、ステップS422において、文書切り替え信号を受信したか否かを通信プロトコル150で監視し続ける。
【００５２】
以上に続き、ステップS422で文書切り替え信号を受信した後、ステップS424へ進み、文書受信プログラムは投影ユニット12が表示したブリーフィングコンテンツ122Bに対応する文書コンテンツ132Nをウェアラブルデバイス13の表示ディスプレイ132に表示させる。また、文書伝送プログラムを終了する命令を受信した後、ステップS426へ進み、ウェアラブルデバイス13は文書伝送プログラムを終了する。また、文書受信プログラムがこれまで占めていたメモリ領域を解放することができる。図4の各ステップの詳細内容を既に上記の実施例で説明したため、ここで省略する。
【００５３】
以上をまとめると、本発明の実施例のブリーフィングシステムにおいて、投影ユニットが制御ユニットに接続され、且つブリーフィングコンテンツを表示し、ウェアラブルデバイスが通信プロトコルに従って制御ユニットと通信を行い、ブリーフィングコンテンツに対応する文書コンテンツをウェアラブルデバイスに表示する。本発明の実施例において、ブリーフィングシステムは制御ユニット（例えば、ノート型コンピュータ、スマートフォン、タブレットコンピュータ）中の文書伝送プログラムおよびウェアラブルデバイス中の文書受信プログラムによって、ブリーフィングコンテンツに対応する文書コンテンツ（例えば、備忘メモ）をウェアラブルデバイスまで伝達することができる。ブリーフィングシステムはさらにブリーフィング切り替え信号に基づいて、視聴者が投影ユニットで見ているブリーフィングコンテンツとユーザーがウェアラブルデバイスで見ている備忘メモを対応させることができる。これにより、視聴者にブリーフィングコンテンツしか見えない場合でも、ユーザーはウェアラブルデバイスを介して備忘メモを随時に見ることができて、ブリーフィングをスムーズに進めて、且つ、ブリーフィングの過程的円滑度および効率を上げることができる。
【００５４】
以上に説明したのは本発明の好ましい実施例に過ぎず、本発明の実施の範囲はこれに限定されるものではない。即ち、本発明の請求の範囲および明細書の内容を基に行った簡単で、同じ効果がある変更や修正も本発明の特許請求の範囲に含まれる。また、本発明のいずれの実施例または請求の範囲について、必ずしも本発明で開示した目的またはメリットまたは特徴を全て実現できると限らない。その他、要約部分と表題は特許文献検索を補助するためのものであり、本発明の請求範囲を限定するものではない。
【符号の説明】
【００５５】
10、100：ブリーフィングシステム
105：ユーザー
11、110：制御ユニット
112：処理モジュール
114：記憶モジュール
116：通信プロトコル伝送モジュール
118：遠隔制御信号受信モジュール
12、120：投影ユニット
121：投影装置
122：投影面
122B：ブリーフィングコンテンツ
13、130：ウェアラブルデバイス
132：表示ディスプレイ
132N：文書コンテンツ
134：通信プロトコル受信モジュール
136：処理ユニット
138：メモリ
150：通信プロトコル
160：遠隔制御装置
210：表示ディスプレイ上の特定領域
S301、S303、S305、S307、S309、S310、S320、S330、S340、S350、S360、S401、S403、S405、S407、S409、S411、S413、S420、S422、S424、S426：ステップ
【図１Ａ】
2016042353.tif 000003
【図１Ｂ】
2016042353.tif 000004
【図１Ｃ】
2016042353.tif 000005
【図２】
2016042353.tif 000006
【図３Ａ】
2016042353.tif 000007
【図３Ｂ】
2016042353.tif 000008
【図３Ｃ】
2016042353.tif 000009
【図４】
2016042353.tif 000010